(57)【特許請求の範囲】
【請求項１】
左右の側枠を互いに連結してなる陳列棚において、
左右の両側枠における互いに対向する縦杆の内側面に設けた上下方向の凹溝に、Ｘ字状に配設したブレースの各端部を差し込み、縦杆の前後いずれかの側面に、凹溝の一方の壁部まで届く丸孔を穿設し、該丸孔よりも小径の頭部を有する前後方向の止めねじを該丸孔内に挿入し、かつ前記凹溝内に差し込んだブレースの端部を、前記凹溝内の他方の壁部に止め付けることにより、両側枠を連結したことを特徴とする陳列棚。
【請求項２】
凹溝を、中央縦杆の側面に設けた請求項１記載の陳列棚。
【請求項３】
側枠を、前後と中央の３本の縦杆を備えるものとし、そのうちの中央の縦杆の側面に凹溝を設けるとともに、前後両面を陳列面とした請求項１または２に記載の陳列棚。
【請求項４】
Ｘ字状に交差させた１対のブレースを、交差部においてピンをもって互いに連結した請求項１〜３のいずれかに記載の陳列棚。
【発明の詳細な説明】
【０００１】
【発明の属する技術分野】
本発明は、陳列棚、特に陳列棚の左右の側枠を連結する構造に関する。
【０００２】
【従来の技術】
従来、陳列棚は、その左右両側枠の間に、上下部連結材を設けるか、またはバックパネルを配することにより構造的な強度を確保するものが多い。
【０００３】
【発明が解決しようとする課題】
このような従来の構造では、バックパネルが不要な場合には、連結材を多くして強度を確保しなければならず、コスト高かつ組立手間が増すこととなる。
このような場合、ブレース構造を採用すると、構造的な強度は楽に得られるが、ブレースの側枠への連結部が出っ張り、かつ外部から見えて体裁が悪い。また、前後両面に陳列面がある陳列棚では、ブレースを取り付けることができない。
【０００４】
本発明は、上述の問題点に鑑み、陳列棚の左右側枠を連結するのにブレースを用い、その端部を、出っ張らず、かつ連結部を、外部から見えないように、側枠に連結することを目的としている。
【０００５】
【課題を解決するための手段】
本発明によると、上記課題は、次のようにして解決される。
（１）左右の側枠を互いに連結してなる陳列棚において、左右の両側枠における互いに対向する縦杆の内側面に設けた上下方向の凹溝に、Ｘ字状に配設したブレースの各端部を差し込み、縦杆の前後いずれかの側面に、凹溝の一方の壁部まで届く丸孔を穿設し、該丸孔よりも小径の頭部を有する前後方向の止めねじを該丸孔内に挿入し、かつ前記凹溝内に差し込んだブレースの端部を、前記凹溝内の他方の壁部に止め付けることにより、両側枠を連結する。
【０００６】
（２）上記(１)項において、凹溝を、中央縦杆の側面に設ける。
【０００７】
（３）上記(１)または(２)項において、側枠を、前後と中央の３本の縦杆を備えるものとし、そのうちの中央の縦杆の側面に凹溝を設けるとともに、前後両面を陳列面とする。
【０００８】
（４）上記(１)〜(３)項のいずれかにおいて、Ｘ字状に交差させた１対のブレースを、交差部においてピンをもって互いに連結する。
【０００９】
【発明の実施の形態】
図１〜図４は、本発明の陳列棚の一実施形態を示すもので、その基本的な構造のみを示し、棚板、エンドフレーム、その他の付属部品の図示を省略してある。
【００１０】
図１に示すように、陳列棚は、左右の木製の側枠(１)を、Ｘ字状に交差させた２個のブレース(2a)(2b)よりなる連結手段(２)により連結して構成されている。
各側枠(１)は、前部縦杆(３)、中央縦杆(４)及び後部縦杆(５)を、前後方向を向く上下部横部材(６)(７)及び中間横部材(８)により連結してなり、中央縦杆(４)は、前後部縦杆(３)(５)の倍の厚さの角材からなっている。
【００１１】
中央縦杆(４)の両側面の中央には、上下方向に延びる凹溝(９)が形成されている。
中央縦杆(４)及び前後部縦杆(３)(５)の対向する前後面には、棚板取付用の受孔(10)が、両端縁近くに位置するように、２列として、上下方向に等間隔をもって穿設されている。
【００１２】
中央縦杆(４)の前面（または後面）における受孔(10)を連なる線上には、受孔(10)よりも大径の丸孔(11)が、上下方向に相当に離れて２個ずつ穿設されている。丸孔(11)は、中央縦杆(４)の前面から、凹溝(９)の一方の壁部(9a)まで貫通している。
【００１３】
連結手段(２)は、同長の２本の鋼製のブレース(2a)(2b)の中央の交差部をピン(12)により枢着することにより、Ｘ字状に結合してなり、各ブレース(2a)(2b)の厚さは、凹溝(９)の幅よりも充分に薄く、端部を凹溝(９)内に挿入させることができるようになっている。
各ブレース(2a)(2b)の端部には、小孔(13)が穿設されている。
【００１４】
連結手段(２)を取り付けるには、まず、各ブレース(2a)(2b)の両端部を、それぞれ側枠(１)の中央縦杆(４)の側面の凹溝(９)に挿入し、各ブレース(2a)(2b)の小孔(13)を、丸孔(11)に合致させる。
【００１５】
この状態で、止めねじ(14)を丸孔(11)に差し入れ、小孔(13)に差し込んで、ドライバーにより凹溝(９)の向こう側の壁部(9b)にねじ止めする。この際、止めねじ(14)の頭部は、丸孔(11)の径よりも小径であるので、止めねじ(13)は、図３に示すように、ブレース(2a)(2b)を、凹溝(９)内で中央縦杆(４)に止め付けることができる。
このようにして、組み立てられた陳列棚の基本構造体を、図４に示す。
【００１６】
図５に示す変形例では、左右両側枠(１)間に、上述のような連結手段(２)を２個、上下に配設してある。
【００１７】
このように、２個の連結手段(２)を設けるか、または１個の連結手段の上下部において、左右の側枠(１)同士を、連結杆または棚板（いずれも図示略）により連結した場合は、両ブレース(2a)(2b)同士を連結するピン(12)を省略してもよい。
【００１８】
【発明の効果】
請求項１記載の本発明によれば、ブレースが縦杆の前後に出っ張ることなく、しかも、その端部すなわち縦杆との連結部が凹溝内に隠蔽されるので、前後いずれからも見えず、体裁がよい。
また、ブレースを単純な止めねじで縦杆に止め付けることができ、ブレース止め付け用に特別の固定手段を用いる必要がなく、また、止めねじの頭部まで丸孔内に隠すことができ、外見上体裁がよい。
【００１９】
請求項３記載の発明によれば、前後両面を陳列面とする陳列棚にブレース構造を採用することができる。
【図面の簡単な説明】
【図１】  本発明の陳列棚の一実施形態の主要部のみの分解斜視図である。
【図２】  同じく、側枠の中央縦杆とブレースとの連結部の拡大分解斜視図である。
【図３】  同じく、ブレースを止めたときの中央縦杆の拡大部分側面図である。
【図４】  図１の陳列棚を組み立てた状態で示す斜視図である。
【図５】  本発明の変形例を示す、図１と同様な分解斜視図である。
【符号の説明】
(１)側枠
(２)連結手段
(2a)(2b)ブレース
(３)前部縦杆
(４)中央縦杆
(５)後部縦杆
(６)上部横部材
(７)下部横部材
(８)中間横部材
(９)凹溝
(9a)(9b)壁部
(10)受孔
(11)丸孔
(12)ピン
(13)小孔
(14)止めねじ
【図１】
0004185600.tif 000002
【図２】
0004185600.tif 000003
【図３】
0004185600.tif 000004
【図４】
0004185600.tif 000005
【図５】
0004185600.tif 000006